(57)【要約】【課題】簡易な構成で、より効率的に放熱を行うことのできる画像読取装置を提供すること。【解決手段】画像読取装置１に、画像を読み取る際の原稿となる用紙４０を搬送可能な用紙搬送路５と、用紙４０に照射する光を発光するＬＥＤ２５と、ＬＥＤ２５が発生する熱がＬＥＤ２５から伝達可能に設けられていると共に伝達された熱を伝搬可能な伝導部２０と、用紙搬送路５の一部を構成すると共にＬＥＤ２５から伝導部２０に伝達された熱が伝導部２０から伝搬可能に設けられており、伝導部２０から伝搬された熱を用紙４０の搬送時に用紙搬送路５を流れる空気に放熱する放熱部１０と、を備える。これにより、ＬＥＤ２５で発生した熱は伝導部２０に伝達され、伝導部２０から放熱部１０に伝搬され、さらに放熱部１０から、用紙４０の搬送時に用紙搬送路５を流れる空気に対して放熱する。この結果、簡易な構成で、より効率的に放熱を行うことができる。【選択図】        図１
2010109563.tif 000002
【特許請求の範囲】
【請求項１】
画像を読み取る際の原稿となる用紙を搬送可能な用紙搬送路と、
前記用紙に照射する光を発光する光源と、
前記光源が発生する熱が前記光源から伝達可能に設けられていると共に伝達された熱を伝搬可能な伝導部と、
前記用紙搬送路の一部を構成すると共に前記光源から前記伝導部に伝達された熱が前記伝導部から伝搬可能に設けられており、前記伝導部から伝搬された熱を前記用紙の搬送時に前記用紙搬送路を流れる空気に放熱する放熱部と、
を備えることを特徴とする画像読取装置。
【請求項２】
前記放熱部は、前記用紙搬送路側に放熱フィンが設けられていることを特徴とする請求項１に記載の画像読取装置。
【請求項３】
前記放熱フィンは、前記用紙の搬送方向に沿って形成されており、且つ、前記搬送方向における上流側の端部に、前記搬送方向における上流側から下流側に向かうに従って前記用紙搬送路で搬送される前記用紙に近付く方向に傾斜した傾斜部を有していることを特徴とする請求項２に記載の画像読取装置。
【請求項４】
さらに、前記用紙搬送路には、前記放熱フィンが通る穴である開口穴と前記放熱フィンが通る切り欠きである切欠部とのうち少なくともいずれか一方が形成されると共に前記放熱フィンが前記開口穴または前記切欠部を通った状態で前記用紙搬送路における前記放熱部が位置する側に配設される遮蔽部材が設けられていることを特徴とする請求項２または３に記載の画像読取装置。
【請求項５】
前記放熱部は、前記用紙の搬送方向における上流側の端部が、前記搬送方向における前記放熱部の上流側に位置する部材である放熱部上流側部材よりも前記用紙搬送路で搬送される前記用紙から離れる形状で形成されていることを特徴とする請求項１〜４のいずれか１項に記載の画像読取装置。
【請求項６】
前記伝導部はヒートパイプにより構成されていることを特徴とする請求項１〜５のいずれか１項に記載の画像読取装置。
【請求項７】
前記放熱部はグランド接続されていることを特徴とする請求項１〜６のいずれか１項に記載の画像読取装置。
【発明の詳細な説明】
【技術分野】
【０００１】
本発明は、画像読取装置に関するものである。特に、この発明は、用紙搬送機構を備えた画像読取装置に関するものである。
【背景技術】
【０００２】
画像読取装置は、通常、原稿となる用紙にＬＥＤ等の光源で発光する光を照射し、この光で照らされた用紙をカメラ等の読取部で読み取ることにより、用紙の画像を読み取っている。しかし、このような画像読取装置は、光源やその他の電子部品の作動時に発生する熱で温度が上昇し易くなっている。また、近年の画像読取装置では、装置の小型化が図られているものが多く、このような小型化が図られた画像読取装置の場合、ファン等の放熱装置を設けるのが困難なため、ファン等を利用して放熱する事が困難なものとなっている。このため、従来の画像読取装置では、新たな放熱装置を設けることなく光源の放熱を行っているものがある。
【０００３】
例えば、特許文献１に記載の線状光源装置および画像読み取り装置は、光源にＬＥＤが用いられており、２つのＬＥＤを、対向して設けられた２つの基板にそれぞれ設けることにより２つのＬＥＤを対向して配置すると共に、２つのＬＥＤの間には、２つの基板の近傍に両端部が位置する導光部材を設けている。さらに、導光部材の近傍には、導光部材に沿って延びると共に両端部が２つの基板に支持された放熱部材を設けている。これにより、ＬＥＤの点灯時には、ＬＥＤで発光した光は導光部材を介して原稿用紙に照射される。また、ＬＥＤの点灯時に発生した熱は、放熱部材に伝達され、放熱部材によって放熱される。これにより、新たな放熱装置を設けることなく、簡易な構成で光源であるＬＥＤで発生した熱を放熱している。
【０００４】
【特許文献１】特開２００８−１４７８４７号公報
【発明の開示】
【発明が解決しようとする課題】
【０００５】
しかしながら、光源で発生した熱を放熱部材に伝達し、放熱部材から放熱した場合、放熱部材の周囲の空気は、放熱部材から放熱された熱により温度が上昇する。このように、放熱部材の周囲の空気の温度が上昇した場合、放熱部材と、周囲の空気との温度差は小さくなるので、放熱部材は放熱することが困難になる。このため、放熱部材は、ＬＥＤで発生した熱を放熱し難くなるため、効果的に放熱することが困難になる場合があった。
【０００６】
本発明は、上記に鑑みてなされたものであって、簡易な構成で、より効率的に放熱を行うことのできる画像読取装置を提供することを目的とする。
【課題を解決するための手段】
【０００７】
上述した課題を解決し、目的を達成するために、この発明に係る画像読取装置は、画像を読み取る際の原稿となる用紙を搬送可能な用紙搬送路と、前記用紙に照射する光を発光する光源と、前記光源が発生する熱が前記光源から伝達可能に設けられていると共に伝達された熱を伝搬可能な伝導部と、前記用紙搬送路の一部を構成すると共に前記光源から前記伝導部に伝達された熱が前記伝導部から伝搬可能に設けられており、前記伝導部から伝搬された熱を前記用紙の搬送時に前記用紙搬送路を流れる空気に放熱する放熱部と、を備えることを特徴とする。
【０００８】
この発明では、光源で発生した熱を伝導部で放熱部に伝搬し、この熱を放熱部により、用紙の搬送時に用紙搬送路を流れる空気に放熱している。つまり、用紙搬送路では用紙の搬送時には用紙は一方向に搬送されるが、用紙搬送路で用紙を搬送する場合、用紙の搬送に伴って用紙の周囲の空気も流れる。放熱部は光源で発生した熱を、このように用紙搬送路を流れる空気に対して放熱するため、放熱部から周囲の空気に放熱した場合でも、この空気は用紙の搬送に伴って流れるので、放熱部の周囲の温度が上昇することを抑制できる。このため、放熱部は周囲の空気に対して放熱し易くなるため、伝導部によって放熱部に伝搬された光源の熱は放熱され易くなり、光源で発生する熱は、効率的に放熱される。また、伝導部と放熱部とを設けることによって、光源で発生した熱を効率的に放熱するため、放熱ファン等の新たな装置を設けることなく、簡易な構成で、光源で発生した熱を放熱することができる。これらの結果、簡易な構成で、より効率的に放熱を行うことができる。
【０００９】
また、この発明に係る画像読取装置は、上記画像読取装置において、前記放熱部は、前記用紙搬送路側に放熱フィンが設けられていることを特徴とする。
【００１０】
この発明では、放熱部の用紙搬送路側に放熱フィンが設けられているので、放熱部における用紙搬送路側の表面積を大きくすることができ、放熱部における用紙搬送路を流れる空気に接触する部分の面積を大きくすることができる。このため、放熱部に伝搬された光源の熱は、用紙搬送路を流れる空気に放熱フィンから放熱され易くなり、放熱部は、光源で発生した熱を放熱し易くなる。この結果、より効率的に放熱を行うことができる。
【００１１】
また、この発明に係る画像読取装置は、上記画像読取装置において、前記放熱フィンは、前記用紙の搬送方向に沿って形成されており、且つ、前記搬送方向における上流側の端部に、前記搬送方向における上流側から下流側に向かうに従って前記用紙搬送路で搬送される前記用紙に近付く方向に傾斜した傾斜部を有していることを特徴とする。
【００１２】
この発明では、放熱フィンは、用紙の搬送方向における上流側の端部に傾斜部を有しているので、搬送時に放熱フィンが設けられている位置に到達した用紙は、傾斜部の部分から放熱フィンに到達する。この傾斜部は、用紙の搬送方向における上流側から下流側に向かうに従って用紙搬送路で搬送される用紙に近付く方向に傾斜しているので、放熱フィンが設けられている位置に到達した用紙が放熱フィンに接触した場合でも、用紙は搬送方向における先端部分が傾斜部の傾斜に沿いつつ搬送される。これにより、用紙が放熱フィンに詰まることを抑制でき、用紙の詰まりを抑制しつつ、放熱フィンを設けることができる。この結果、用紙の詰まりを抑制しつつ、より効率的に放熱を行うことができる。
【００１３】
また、この発明に係る画像読取装置は、上記画像読取装置において、さらに、前記用紙搬送路には、前記放熱フィンが通る穴である開口穴と前記放熱フィンが通る切り欠きである切欠部とのうち少なくともいずれか一方が形成されると共に前記放熱フィンが前記開口穴または前記切欠部を通った状態で前記用紙搬送路における前記放熱部が位置する側に配設される遮蔽部材が設けられていることを特徴とする。
【００１４】
この発明では、開口穴と切欠部とのうち少なくともいずれか一方が形成される遮蔽部材を用紙搬送路に設けているので、用紙搬送路の形状を極力平坦に近くすることができる。これにより、搬送する用紙の詰まりを低減することができる。また、遮蔽部材を設けることにより、用紙搬送路周りの構成部品を外部から視認できないようにすることができる。これにより、見栄えを良くすることができる。また、遮蔽部材は、放熱フィンが開口穴または切欠部を通った状態で配設されるので、遮蔽部材を設けた場合でも、放熱部による放熱性を確保できる。これらの結果、効率的に放熱を行いつつ、搬送する用紙の詰まりを抑制し、且つ、外観の向上を図ることができる。
【００１５】
また、この発明に係る画像読取装置は、上記画像読取装置において、前記放熱部は、前記用紙の搬送方向における上流側の端部が、前記搬送方向における前記放熱部の上流側に位置する部材である放熱部上流側部材よりも前記用紙搬送路で搬送される前記用紙から離れる形状で形成されていることを特徴とする。
【００１６】
この発明では、放熱部は、用紙の搬送方向における上流側の端部が、放熱部上流側部材よりも用紙搬送路で搬送される用紙から離れる形状で形成されている。これにより、用紙搬送路で搬送される用紙が、放熱部上流側部材側から放熱部側に搬送される際に、用紙が放熱部の端部に接触し、搬送中の用紙が詰まることを抑制できる。この結果、用紙の詰まりを抑制しつつ、より効率的に放熱を行うことができる。
【００１７】
また、この発明に係る画像読取装置は、上記画像読取装置において、前記伝導部はヒートパイプにより構成されていることを特徴とする。
【００１８】
この発明では、伝導部をヒートパイプにより構成しているので、光源が発生する熱を、より確実に伝導部で用紙搬送路に伝搬することができる。詳しくは、ヒートパイプは伝熱効率が高いため、このヒートパイプによって伝導部を構成し、光源で発生した熱を、ヒートパイプによって用紙搬送路に伝搬することにより、効率良く熱を用紙搬送路に伝搬することができる。この結果、より効率的に放熱を行うことができる。
【００１９】
また、この発明に係る画像読取装置は、上記画像読取装置において、前記放熱部はグランド接続されていることを特徴とする。
【００２０】
この発明では、放熱部をグランド接続しているので、放熱部が帯電することを抑制でき、帯電に起因する用紙の詰まりを抑制できる。つまり、放熱部は用紙搬送路の一部を構成しているため、放熱部が帯電した場合、用紙搬送路で搬送される用紙が、放熱部の静電気によって放熱部に吸い寄せられる場合があり、この場合、用紙が搬送され難くなるため、詰まりの原因になる場合がある。これに対し、放熱部をグランド接続し、放熱部の帯電を抑制した場合には、用紙搬送路で用紙を搬送する際に用紙が放熱部の静電気によって放熱部に吸い寄せられることを抑制できるため、用紙の詰まりを抑制することができる。この結果、効率的に放熱を行うと共に、搬送する用紙の詰まりを抑制することができる。
【発明の効果】
【００２１】
本発明に係る画像読取装置は、簡易な構成で、より効率的に放熱を行うことができる、という効果を奏する。
【発明を実施するための最良の形態】
【００２２】
以下に、本発明に係る画像読取装置の実施例を図面に基づいて詳細に説明する。なお、この実施例によりこの発明が限定されるものではない。また、下記実施例における構成要素には、当業者が置換可能かつ容易なもの、或いは実質的に同一のものが含まれる。
【実施例１】
【００２３】
図１は、本発明の実施例１に係る画像読取装置の説明図である。図２は、図１のＡ−Ａ矢視図である。図３は、図１のＢ−Ｂ矢視図である。図４、図５は、図１に示す画像読取装置の要部の斜視概略図である。同図に示す画像読取装置１は、当該画像読取装置１で画像を読み取る際の原稿となる用紙４０を搬送可能な用紙搬送路５が設けられており、この用紙搬送路５は、搬送する用紙の両面をガイドしつつ、用紙４０を搬送可能に設けられている。詳しくは、用紙搬送路５は、略板状の形状で形成されると共に搬送する用紙４０に沿って形成される搬送用紙ガイド６を有しており、搬送用紙ガイド６は、用紙搬送路５で搬送する用紙４０の両面側に配設されている。
【００２４】
また、用紙搬送路５の近傍には、用紙４０を搬送可能な紙送りローラ１５が設けられており、この紙送りローラ１５は、略円筒状の形状で形成され、搬送する用紙４０の両面側に対になって設けられている。その向きは、円筒の中心軸１６が搬送用紙ガイド６、或いは搬送する用紙４０にほぼ平行で、且つ、用紙４０の搬送方向に直交する向きで配設されている。また、対になって設けられている紙送りローラ１５は、共に円筒の中心軸１６を中心として回転可能になっている。さらに、このように用紙搬送路５の近傍に設けられる紙送りローラ１５は、用紙４０の搬送方向における所定の間隔で、複数設けられている。
【００２５】
また、用紙搬送路５には、原稿となる用紙４０の読み取り位置に、透明なガラスによって形成されるコンタクトガラス７が設けられている。このコンタクトガラス７は、板状のガラスにより形成されており、用紙搬送路５の一部を構成している。即ち、コンタクトガラス７は、当該コンタクトガラス７の形状である板状の一方の面が、用紙搬送路５が有する一部の搬送用紙ガイド６における用紙搬送路５を構成している側の面と、略同一面上に位置して配設されている。
【００２６】
また、用紙搬送路５におけるコンタクトガラス７に対向する位置には、裏当て部材８が設けられている。つまり、裏当て部材８は、用紙搬送路５で搬送する用紙４０の搬送方向においてコンタクトガラス７が配設されている位置と同じ位置で、且つ、搬送する用紙の両面をガイドする用紙搬送路５におけるコンタクトガラス７が位置している側の面の反対側の面側に配設されている。このように裏当て部材８は、コンタクトガラス７に対向して設けられていることにより、用紙搬送路５の一部を構成している。
【００２７】
さらに、用紙搬送路５には、コンタクトガラス７に隣接する位置に放熱部１０が設けられている。この放熱部１０は、搬送する用紙４０の両面をガイドする用紙搬送路５におけるコンタクトガラス７が位置している側の面と同一面側に設けられており、用紙搬送路５で搬送する用紙４０の搬送方向におけるコンタクトガラス７の下流側に配設されている。
【００２８】
この放熱部１０は、略板状に形成されたベース部１１と、同様に略板状の形状で形成された放熱フィン１２とを有している。このうち、ベース部１１は、当該ベース部１１の形状である板が用紙搬送路５、或いはコンタクトガラス７に略平行となる向きで配設されている。このベース部１１は、コンタクトガラス７よりも、用紙搬送路５で搬送される用紙４０から離れる方向に形成されており、コンタクトガラス７に対して段差を有している。
【００２９】
また、放熱フィン１２は、当該放熱フィン１２の形状である板が、ベース部１１に直交し、且つ、用紙搬送路５で搬送する用紙４０の搬送方向に沿った向きで形成されている。放熱部１０は、このように形成される放熱フィン１２を複数有しており、この複数の放熱フィン１２は、放熱部１０における用紙搬送路５側に設けられている。
【００３０】
また、放熱フィン１２は、用紙搬送路５で搬送する用紙４０の搬送方向における上流側の端部に、搬送方向における上流側から下流側に向かうに従って用紙搬送路５で搬送される用紙４０に近付く方向に傾斜した傾斜部１３を有している。換言すると、傾斜部１３は、コンタクトガラス７側が傾斜部１３においてベース部１１に最も近くなっており、用紙４０の搬送方向においてコンタクトガラス７から離れるに従ってベース部１１から離れて形成されている。また、放熱フィン１２は、用紙搬送路５側の端部における傾斜部１３以外の部分は、コンタクトガラス７における用紙搬送路５側の面と略同一面上に位置し、用紙搬送路５で搬送する用紙４０の搬送方向と略平行に形成された平行部１４となっている。このため、放熱フィン１２は、コンタクトガラス７側の端部付近が、コンタクトガラス７における用紙搬送路５側の面よりも、放熱部１０におけるベース部１１側の方向に離れる方向側、或いは用紙搬送路５で搬送される用紙４０から離れる方向側に位置している。また、放熱フィン１２の平行部１４は、コンタクトガラス７における用紙搬送路５側の面と、略同一面上に位置している。
【００３１】
また、このように設けられる放熱フィン１２は、用紙搬送路５で搬送する用紙４０の搬送方向におけるコンタクトガラス７側の端部が、同方向におけるベース部１１の端部よりも搬送方向における下流側に位置している。即ち、放熱フィン１２は、用紙４０の搬送方向においてコンタクトガラス７から下流側に離れた位置から、搬送方向におけるベース部１１の下流側の端部が位置する部分にかけて形成されている。このように、放熱部１０が有する放熱フィン１２は、コンタクトガラス７には隣接されておらず、また、ベース部１１はコンタクトガラス７に対して段差を有しているので、放熱部１０はコンタクトガラス７側の端部がコンタクトガラス７に対して、用紙搬送路５で搬送される用紙４０から離れる方向に段差を有して形成されている。換言すると、コンタクトガラス７は放熱部１０に対して、用紙４０の搬送方向における放熱部１０の上流側に位置する部材である放熱部上流側部材として設けられており、放熱部１０は、用紙４０の搬送方向における上流側の端部が、この放熱部上流側部材であるコンタクトガラス７よりも、用紙搬送路５で搬送される用紙４０から離れる形状で形成されている。
【００３２】
また、放熱部１０は、用紙搬送路５におけるコンタクトガラス７が位置している側の面と同一面側に設けられていることにより、用紙搬送路５の一部を構成している。つまり、搬送用紙ガイド６、コンタクトガラス７、裏当て部材８、放熱部１０は、用紙搬送路５を構成している。
【００３３】
また、用紙搬送路５の一部を構成する放熱部１０には、伝導部２０が接続されている。この伝導部２０は、熱伝導率が高い材料により形成されており、例えば、グラファイト、銀、銅、金、アルミニウム、鉄などの材料により形成されている。また、伝導部２０は、放熱部１０における用紙搬送路５側の反対側の面に接続されており、詳しくは、放熱部１０が有するベース部１１における放熱フィン１２が設けられている側の面の反対側の面に接続されている。その位置は、用紙搬送路５で搬送する用紙４０の搬送方向における放熱部１０のコンタクトガラス７側の端部付近に接続されており、用紙搬送路５で搬送する用紙４０の搬送方向におけるコンタクトガラス７の放熱部１０側の端部付近に位置している。また、伝導部２０は２つ設けられており、２つの伝導部２０は、用紙搬送路５の幅方向における放熱部１０の両端部の近傍、即ち、紙送りローラ１５の中心軸１６と平行な方向における放熱部１０の両端部の近傍に配設されている。
【００３４】
このように放熱部１０に接続される２つの伝導部２０は、共に略Ｌ字状に折れ曲がった板状の形状で形成されており、共に板状の一方の面がベース部１１と平行になり、且つ、２つの伝導部２０の他方の面同士が対向する向きでベース部１１に接続されている。このため伝導部２０は、この対向している面が、放熱部１０における用紙搬送路５側の反対側の方向に突出した形態で放熱部１０に接続されている。
【００３５】
このように放熱部１０に接続される２つの伝導部２０の間には、光源であるＬＥＤ（Light Emitting Diode：発光ダイオード）２５と導光管２８とが設けられている。このうちＬＥＤ２５は、伝導部２０と同様に２つ設けられており、２つのＬＥＤ２５は、それぞれ別々の伝導部２０に接続されている。詳しくは、ＬＥＤ２５は、当該ＬＥＤ２５に供給する電気を制御する基板２６に接続されており、この基板２６が伝導部２０に接続されている。このように、基板２６が伝導部２０に接続されることにより、ＬＥＤ２５は伝導部２０に接続されている。その位置は、伝導部２０における対向している面に接続されており、それぞれ別々の伝導部２０に接続される２つのＬＥＤ２５同士が、対向する向きで配設されている。また、基板２６に接続されているＬＥＤ２５は、ＬＥＤ２５における放熱部分（図示省略）が基板２６に接続されている。
【００３６】
また、導光管２８は、管状の形状で形成されており、管状の両端部が２つのＬＥＤ２５に近接、或いは接触した状態で配設されている。つまり、導光管２８は、対向して設けられる２つのＬＥＤ２５間に配設されている。
【００３７】
また、コンタクトガラス７における用紙搬送路５側の反対側には、反射部材３０が配設されている。この反射部材３０は、用紙搬送路５の幅方向における幅が同方向におけるコンタクトガラス７の幅と同程度となる板状の形状で形成されている。このように板状の形状で形成される反射部材３０は、用紙搬送路５で搬送する用紙４０の搬送方向における上流側から下流側に向かうに従ってコンタクトガラス７から離れる方向、即ち、用紙搬送路５側の反対側に向かう方向に傾斜して配設されている。これにより、反射部材３０は、コンタクトガラス７側の面が、コンタクトガラス７に対向すると共に、放熱部１０に接続された伝導部２０に接続されている導光管２８にも対向して設けられている。このように、反射部材３０におけるコンタクトガラス７及び導光管２８に対向している面は、鏡面加工が施されている。
【００３８】
また、コンタクトガラス７における用紙搬送路５側の反対側には、読取部３５が設けられている。この読取部３５は、コンタクトガラス７における用紙搬送路５側の反対側で、且つ、用紙搬送路５の幅方向におけるコンタクトガラス７の中心付近に配設されている。このように配設される読取部３５は、ＣＣＤ（Charge Coupled Device）カメラなどの画像読取手段（図示省略）を備えており、画像読取手段は、読取部３５においてコンタクトガラス７に対向して配設されている。
【００３９】
この実施例１に係る画像読取装置１は、以上のごとき構成からなり、以下、その作用について説明する。実施例１に係る画像読取装置１で原稿となる用紙４０の画像を読み取る場合には、対になって設けられている紙送りローラ１５のうち少なくとも一方の紙送りローラ１５を回転させ、用紙４０をコンタクトガラス７が位置している部分に搬送する。その際の回転方向は、紙送りローラ１５における用紙搬送路５側の面が用紙４０の搬送方向側に向かう方向に回転させる。
【００４０】
用紙４０をコンタクトガラス７が位置している部分に搬送する場合には、このように紙送りローラ１５を回転させ、用紙４０の搬送方向におけるコンタクトガラス７の上流側に位置して対になっている紙送りローラ１５間を用紙４０が通るように、当該紙送りローラ１５の上流側に位置する給送装置（図示省略）で紙送りローラ１５に対して用紙４０を給送する。これにより、この用紙４０は回転する紙送りローラ１５との間の摩擦力によって移動するので、この用紙４０は搬送用紙ガイド６等の用紙搬送路５を構成する部材によってガイドされながら用紙搬送路５内を搬送される。このように用紙搬送路５でガイドされながら搬送される用紙４０は、搬送される途中で用紙搬送路５の一部を構成するコンタクトガラス７が設けられている位置に到達する。
【００４１】
また、用紙４０の画像を読み取る場合には、２つのＬＥＤ２５を共に発光させる。このようにＬＥＤ２５を発光させた場合、ＬＥＤ２５で発光した光は導光管２８内に進入し、導光管２８内に進入した光は、導光管２８内を反射しながら進行する。その際に、導光管２８内を反射しながら進行する光は、一部の光が導光管２８の外側に透光しながら導光管２８内を進行する。このように、導光管２８内に進入した光は、一部の光が導光管２８の外側に透光しつつ導光管２８内を反射しながら進行するため、ＬＥＤ２５から導光管２８内に進入した光は、導光管２８全体から外部に向かって照射される。即ち、ＬＥＤ２５を発光させた場合には、導光管２８全体が発光する。
【００４２】
ＬＥＤ２５を発光させることにより導光管２８が発光した場合、導光管２８からの光の一部は、コンタクトガラス７の方向に向かう。このコンタクトガラス７は透明なガラスによって形成されているため、コンタクトガラス７に到達した光はコンタクトガラス７を透過する。このため、用紙４０が用紙搬送路５で搬送されることによりコンタクトガラス７が設けられている位置に到達した場合、コンタクトガラス７を透過した光は、この用紙を照射する。
【００４３】
また、導光管２８で発光した光のうち、別の一部の光は、反射部材３０の方向に向かう。この反射部材３０は、導光管２８に対向している面が鏡面加工されており、さらにこの面はコンタクトガラス７にも対向しているため、反射部材３０に到達した光は、この反射部材３０における鏡面加工されている面でコンタクトガラス７の方向に反射される。これにより、この光はコンタクトガラス７の方向に向かう。このように反射部材３０で反射され、コンタクトガラス７の方向に向かう光は、導光管２８から直接コンタクトガラス７の方向に向かう光と同様にコンタクトガラス７を透過し、コンタクトガラス７が設けられている位置に到達した用紙４０を照射する。
【００４４】
用紙搬送路５で搬送されることによりコンタクトガラス７が設けられている位置に到達した用紙４０は、このようにコンタクトガラス７を透過する導光管２８からの光により照射されるが、コンタクトガラス７における用紙搬送路５側の反対側には、画像読取手段を備える読取部３５が設けられている。このため、用紙４０を照射した光は用紙４０で反射し、反射した光の一部は読取部３５の方向に向かう。読取部３５は、画像読取手段でこの光を受けることにより、用紙４０の画像を読み取る。
【００４５】
画像読取装置１で用紙４０の画像を読み取る場合には、このように紙送りローラ１５を回転させることによって用紙搬送路５で用紙４０を搬送し、コンタクトガラス７が設けられている位置を用紙４０が通過する際に、ＬＥＤ２５が発光した光を用いて用紙４０の画像を読取部３５で読み取ることを連続的に行うことにより、用紙４０の画像を読み取る。また、用紙搬送路５におけるコンタクトガラス７に対向する位置には、裏当て部材８が設けられているため、用紙４０が、コンタクトガラス７が設けられている位置を通過する際には、コンタクトガラス７と裏当て部材８とに挟まれることにより用紙４０は曲がったり波打ったりすることなく、平坦な状態で通過する。このため、読取部３５で用紙４０の画像を読み取る際には用紙４０は平坦な状態になるため、読取部３５は鮮明に用紙４０の画像を読み取る。
【００４６】
コンタクトガラス７が設けられている位置を通過した用紙４０は、用紙４０の搬送方向においてコンタクトガラス７の下流側に位置する放熱部１０が設けられている位置に到達する。その際に、放熱部１０は、コンタクトガラス７側の端部がコンタクトガラス７に対して、用紙搬送路５で搬送される用紙４０から離れる方向に段差を有しているため、用紙４０は放熱部１０に到達した際に放熱部１０に対して進行方向において当接しない。換言すると、放熱部１０はコンタクトガラス７側の端部が、コンタクトガラス７よりも、用紙搬送路５で搬送される用紙４０から離れる形状で形成されているので、用紙４０がコンタクトガラス７側から放熱部１０の位置に移動した際に、用紙４０の移動直後は、用紙４０は放熱部１０に接触しない。
【００４７】
また、放熱部１０は、当該放熱部１０における用紙搬送路５側に放熱フィン１２が設けられているが、放熱フィン１２は、コンタクトガラス７側の端部に傾斜部１３を有している。このため、搬送される用紙４０が放熱フィン１２に到達し、放熱フィン１２に接触した場合には、用紙４０は傾斜部１３の傾斜に沿って移動する。傾斜部１３の傾斜に沿って移動した用紙４０は、さらに、用紙４０の搬送方向において傾斜部１３の下流側に位置する平行部１４の位置に到達し、平行部１４に接触しながら平行部１４に沿って移動する。これらのため、搬送される用紙４０が、放熱部１０が設けられている位置に到達した場合でも、用紙４０は放熱部１０に詰まることなく、放熱部１０が設けられている部分を通過する。用紙搬送路５で搬送され、放熱部１０を通過した用紙４０は、さらに下流方向に搬送される。
【００４８】
画像読取装置１で用紙４０の画像を読み取る場合には、上述したようにＬＥＤ２５を発光させるが、ＬＥＤ２５を発光させた場合にはＬＥＤ２５は熱を発生する。このようにＬＥＤ２５の発光時にＬＥＤ２５が発生した熱は、ＬＥＤ２５が接続されている基板２６に伝達され、さらに、この基板２６から、当該基板２６が接続されている伝導部２０に伝達される。伝導部２０は、基板２６を介してＬＥＤ２５に接続されているため、このようにＬＥＤ２５が発生する熱は、基板２６を介してＬＥＤ２５から伝導部２０に伝達される。即ち、伝導部２０は、ＬＥＤ２５が発生する熱が、ＬＥＤ２５から伝達可能に設けられている。
【００４９】
また、伝導部２０は、熱伝導率が高い材料により形成されているため、ＬＥＤ２５から伝達された熱を伝搬可能に設けられている。伝導部２０がこの熱を伝搬する際には、伝導部２０は当該伝導部２０が接続されている放熱部１０に伝搬する。即ち、放熱部１０は、伝導部２０に接続されていることにより、ＬＥＤ２５から伝導部２０に伝達された熱が伝導部２０から伝搬可能に設けられている。また、ＬＥＤ２５の発光時に、伝導部２０を介して放熱部１０にＬＥＤ２５の発光時の熱が伝搬された場合には、放熱部１０は周囲に放熱する。
【００５０】
ここで、放熱部１０は、用紙搬送路５の一部を構成しており、放熱部１０における伝導部２０が接続されている側の面の反対側の面は、用紙４０の搬送時に用紙４０が通過する面となっている。また、用紙４０の搬送時には、用紙４０の移動に伴って用紙４０の周囲の空気も移動する。これにより、用紙搬送路５で用紙４０を搬送する場合には、用紙搬送路５には空気が流れる。このため、放熱部１０は、用紙４０の搬送時には、用紙搬送路５を流れる空気に晒される。従って、放熱部１０における用紙搬送路５側の空気は停滞しないため、放熱部１０は、周囲に放熱する熱のうち、用紙搬送路５側から放熱する熱を放熱し易くなる。換言すると、放熱部１０は、用紙搬送路５の空気が流れることにより用紙搬送路５側から放熱し易くなるため、伝導部２０から伝搬された熱を、用紙４０の搬送時に用紙搬送路５を流れる空気に放熱する。
【００５１】
さらに、放熱部１０における用紙搬送路５側には、放熱フィン１２が設けられている。このため、放熱部１０における用紙搬送路５側の表面積は、放熱フィン１２が設けられることにより大きくなっている。さらに、この放熱フィン１２は、用紙４０の搬送方向に沿って形成されているため、用紙４０の搬送時に用紙搬送路５を流れる空気は、放熱フィン１２に遮られることなく、複数設けられる放熱フィン１２の間を通りながら用紙４０の搬送方向における上流側から下流側に流れる。このため、放熱部１０は、伝導部２０から伝搬された熱を、この放熱フィン１２から用紙搬送路５を流れる空気に放熱することができるため、より放熱し易くなる。ＬＥＤ２５の発光時には、このように放熱部１０から用紙搬送路５を流れる空気に放熱するため、ＬＥＤ２５の温度が上昇し過ぎることを抑制できる。
【００５２】
さらに、用紙４０の搬送時には、放熱フィン１２が設けられている位置に到達した用紙４０は放熱フィン１２の平行部１４に沿って平行部１４に接触しながら移動するので、放熱フィン１２の熱は用紙４０に伝達される。これにより、伝導部２０から放熱フィン１２に伝達されたＬＥＤ２５の発光時の熱は、用紙４０に伝達されることにより、よりＬＥＤ２５から伝導部２０を介して放熱フィン１２に伝搬され易くなり、ＬＥＤ２５の温度が上昇し過ぎることを抑制できる。
【００５３】
以上の画像読取装置１は、ＬＥＤ２５で発生した熱を伝導部２０で放熱部１０に伝搬し、この熱を放熱部１０により、用紙４０の搬送時に用紙搬送路５を流れる空気に放熱している。つまり、用紙搬送路５では用紙４０の搬送時には用紙４０は一方向に搬送されるが、用紙搬送路５で用紙４０を搬送する場合、用紙４０の搬送に伴って用紙４０の周囲の空気も流れる。放熱部１０はＬＥＤ２５で発生した熱を、このように用紙搬送路５を流れる空気に対して放熱するため、放熱部１０から周囲の空気に放熱した場合でも、この空気は用紙４０の搬送に伴って流れるので、放熱部１０の周囲の温度が上昇することを抑制できる。このため、放熱部１０は周囲の空気に対して放熱し易くなるため、伝導部２０によって放熱部１０に伝搬されたＬＥＤ２５の熱は放熱部１０から放熱され易くなり、ＬＥＤ２５で発生する熱は、効率的に放熱される。また、伝導部２０と放熱部１０とを設けることによって、ＬＥＤ２５で発生した熱を効率的に放熱するため、放熱ファン等の新たな装置を設けることなく、簡易な構成で、ＬＥＤ２５で発生した熱を放熱することができる。これらの結果、簡易な構成で、より効率的に放熱を行うことができる。
【００５４】
また、このようにＬＥＤ２５で発生した熱を効率的に放熱することにより、ＬＥＤ２５の温度を所望の温度以下に抑えることができ、ＬＥＤ２５の超寿命化を図ることができる。この結果、故障の少ない、高品質な画像処理装置１を得ることができる。また、簡易な構成で効率的に放熱を行うことができるので、ＬＥＤ２５で発生した熱を放熱する構成を設ける場合に、装置の小型化を図ることができる。
【００５５】
また、ＬＥＤ２５が接続される基板２６には、ＬＥＤ２５における放熱部分が接続されている。これにより、ＬＥＤ２５の発光時に発生した熱は、この放熱部分から、より確実に基板２６に伝達することができ、基板２６から伝導部２０に伝達することができる。従って、ＬＥＤ２５の発光時に発生する熱は、より確実に放熱部１０に伝搬されて放熱部１０で放熱することができる。この結果、より効率的に放熱を行うことができる。
【００５６】
また、放熱部１０の用紙搬送路５側に放熱フィン１２が設けられているので、放熱部１０における用紙搬送路５側の表面積を大きくすることができ、放熱部１０における用紙搬送路５を流れる空気に接触する部分の面積を大きくすることができる。このため、放熱部１０に伝搬されたＬＥＤ２５の熱は、用紙搬送路５を流れる空気に放熱フィン１２から放熱され易くなり、放熱部１０は、ＬＥＤ２５で発生した熱を放熱し易くなる。この結果、より効率的に放熱を行うことができる。
【００５７】
また、放熱部１０には放熱フィン１２が設けられているので、用紙４０の搬送時には、放熱部１０は順次搬送される用紙４０に放熱フィン１２を接触させることができる。これにより、放熱部１０は、伝導部２０から伝搬されたＬＥＤ２５の熱を、用紙４０に伝達することができ、ＬＥＤ２５から伝導部２０に伝達された熱の伝導部２０から放熱部１０への伝搬を、行い易くすることができる。この結果、より効率的に放熱を行うことができる。
【００５８】
また、放熱フィン１２は、用紙４０の搬送方向における上流側の端部に傾斜部１３を有しているので、搬送時に放熱フィン１２が設けられている位置に到達した用紙４０は、傾斜部１３の部分から放熱フィン１２に到達する。この傾斜部１３は、用紙４０の搬送方向における上流側から下流側に向かうに従って用紙搬送路５で搬送される用紙４０に近付く方向に傾斜しているので、放熱フィン１２が設けられている位置に到達した用紙４０が放熱フィン１２に接触した場合でも、用紙４０は搬送方向における先端部分が傾斜部１３の傾斜に沿いつつ搬送される。これにより、用紙４０が放熱フィン１２に詰まることを抑制でき、用紙４０の詰まりを抑制しつつ、放熱フィン１２を設けることができる。この結果、用紙４０の詰まりを抑制しつつ、より効率的に放熱を行うことができる。
【００５９】
また、放熱部１０は、用紙４０の搬送方向における上流側の端部が、放熱部上流側部材であるコンタクトガラス７よりも用紙搬送路５で搬送される用紙４０から離れる形状で形成されている。これにより、用紙搬送路５で搬送される用紙４０が、コンタクトガラス７側から放熱部１０側に搬送される際に、用紙４０が搬送方向における放熱部１０の上流側の端部に接触し、搬送中の用紙４０が詰まることを抑制できる。この結果、用紙４０の詰まりを抑制しつつ、より効率的に放熱を行うことができる。
【００６０】
また、放熱部１０には放熱フィン１２が設けられているため、用紙４０の搬送時に放熱部１０が設けられている部分に到達した用紙は、放熱フィン１２の平行部１４に沿って搬送される。このため、用紙４０と放熱部１０との間の摩擦が少なくなり、用紙４０の搬送を行い易くすることができる。この結果、用紙４０の搬送時に、スムーズな搬送を行うことができる。
【実施例２】
【００６１】
実施例２に係る画像読取装置５０は、実施例１に係る画像読取装置１と略同様の構成であるが、放熱部１０を遮蔽する遮蔽板５５を設けている点に特徴がある。他の構成は実施例１と同様なので、その説明を省略すると共に、同一の符号を付す。図６は、本発明の実施例２に係る画像読取装置の説明図であり、遮蔽板を取り付ける前の状態を示す説明図である。実施例２に係る画像読取装置５０は、放熱部１０の用紙搬送路５側に、遮蔽部材である遮蔽板５５が設けられている。この遮蔽板５５は、放熱部１０のベース部１１と同様に略板状の形状で形成されており、その板厚は、放熱フィン１２の高さよりも薄くなっている。また、遮蔽板５５には、用紙４０（図１参照）の搬送方向における下流側の端部側に、放熱部１０が有する放熱フィン１２が通る切り欠きである切欠部５６が形成されている。この切欠部５６は、放熱フィン１２を、ベース部１１に対して放熱フィン１２が突出している方向、即ち放熱フィン１２の高さ方向から見た場合における投影形状に近い形状で当該投影形状よりも大きい形状で形成されている。これにより、切欠部５６は放熱フィン１２を通すことが可能になっている。
【００６２】
また、切欠部５６は、放熱部１０が有する複数の放熱フィン１２と同数で、複数の放熱フィン１２の間隔と同じ間隔で形成されている。つまり、切欠部５６は、放熱フィン１２の投影形状より若干大きい形状で、且つ、複数の放熱フィン１２の相対的な位置関係と同様な位置関係で複数形成されている。
【００６３】
図７は、図６に示す画像読取装置において遮蔽板を取り付けた状態を示す説明図である。複数の切欠部５６が形成される遮蔽板５５は、放熱部１０の用紙搬送路５側に配設される。その際に、放熱部１０の用紙搬送路５側には、放熱フィン１２が複数設けられているが、この放熱フィン１２は遮蔽板５５の切欠部５６に通される。また、遮蔽板５５は、板厚が放熱フィン１２の高さよりも薄くなっている。これにより、放熱部１０の用紙搬送路５側には、放熱フィン１２が切欠部５６を通り、放熱フィン１２が遮蔽板５５から用紙搬送路５側に突出した状態で遮蔽板５５が配設される。換言すると、用紙搬送路５には、放熱フィン１２が切欠部５６を通った状態で用紙搬送路５における放熱部１０が位置する側に配設される遮蔽板５５が設けられている。また、このように放熱部１０の用紙搬送路５側に配設された遮蔽板５５は、放熱部１０のベース部１１と同様に、コンタクトガラス７よりも、用紙搬送路５で搬送される用紙４０から離れる方向に形成されており、コンタクトガラス７に対して段差を有している。
【００６４】
この実施例２に係る画像読取装置５０は、以上のごとき構成からなり、以下、その作用について説明する。実施例２に係る画像読取装置５０で用紙の画像を読み取る場合には、紙送りローラ１５（図１参照）を回転させることにより、用紙搬送路５で用紙４０を搬送する。用紙搬送路５で用紙４０を搬送することにより、用紙４０はコンタクトガラス７が設けられている部分を通過する。その際に、読取部３５（図１参照）は、ＬＥＤ２５（図１参照）で発光した光によって、用紙４０の画像を読み取る。
【００６５】
用紙搬送路５で搬送される用紙４０は、コンタクトガラス７が設けられている部分を通過した後、放熱部１０が設けられている部分に到達する。この放熱部１０が設けられている部分には、放熱部１０における用紙搬送路５側に遮蔽板５５が配設されているため、用紙搬送路５における放熱部１０が設けられている部分は、遮蔽板５５が設けられていない場合と比較して平坦に近い状態になっている。このため、搬送される用紙４０が、放熱部１０が設けられている部分に到達した際でも、用紙４０は放熱部１０に詰まり難くなり、用紙４０は搬送され易くなる。
【００６６】
また、遮蔽板５５には切欠部５６が形成されており、放熱部１０が有する放熱フィン１２は、この切欠部５６から用紙搬送路５側に突出した状態で切欠部５６を通っている。これにより、放熱部１０が設けられている部分に到達した用紙４０は、放熱フィン１２に接触し、放熱フィン１２の平行部１４に沿いながら搬送される。その際に、ＬＥＤ２５の発光時に伝導部２０から放熱部１０に伝搬されたＬＥＤ２５からの熱は、用紙４０に伝達される。
【００６７】
また、用紙４０の搬送時には、用紙４０の移動に伴って用紙４０の周囲の空気も移動し、用紙搬送路５には空気が流れるが、放熱部１０の放熱フィン１２は、遮蔽板５５から突出している。これにより、放熱部１０が有する放熱フィン１２は、伝導部２０から放熱部１０に伝搬されたＬＥＤ２５からの熱を、用紙搬送路５に流れる空気に放熱する。
【００６８】
以上の画像読取装置５０は、切欠部５６が形成される遮蔽板５５を用紙搬送路５に設けているので、用紙搬送路５の形状を極力平坦に近くすることができる。これにより、搬送する用紙４０の詰まりを低減することができる。また、遮蔽板５５を設けることにより、メンテナンス等により用紙搬送路５を視認する際に、用紙搬送路５周りの構成部品を外部から視認できないようにすることができる。これにより、見栄えを良くすることができる。また、遮蔽板５５は、放熱フィン１２が切欠部５６を通った状態で配設されるので、遮蔽板５５を設けた場合でも、放熱部１０による放熱性を確保できる。これらの結果、効率的に放熱を行いつつ、搬送する用紙４０の詰まりを抑制し、且つ、外観の向上を図ることができる。
【００６９】
図８は、実施例１に係る画像読取装置の変形例を示す要部斜視図である。なお、実施例１に係る画像読取装置１は、放熱部１０の放熱フィン１２に傾斜部１３（図５参照）を形成しているが、図８に示すように、放熱フィン６０には傾斜部１３を形成しなくてもよい。用紙搬送路５で搬送する用紙４０（図１参照）が、用紙４０の搬送速度やコンタクトガラス７と放熱フィン６０との相対的な位置関係等により、放熱フィン６０に詰まる虞がない場合には、放熱フィン６０に傾斜部１３を設けなくても、用紙４０を放熱フィン６０に詰まらせることなく搬送することができる。これにより、傾斜部１３を形成しない分、製造工程の簡略化を図ることができ、より簡易な構成で効率的に放熱を行うことができる。
【００７０】
図９は、実施例１に係る画像読取装置の変形例を示す要部斜視図である。図１０は、図９のＣ−Ｃ矢視図である。また、実施例１に係る画像読取装置１では、伝導部２０を熱伝導率が高い材料により形成しているが、伝導部２０は、伝熱効率が高い構造にしてもよい。伝導部６５は、例えば、図９、図１０に示すように、公知のヒートパイプにより構成してもよい。即ち、伝導部６５は、熱伝導率の高い材料によりパイプ状に形成し、内部に揮発性の高い作動液を封入することにより構成してもよい。このように、伝導部６５をヒートパイプにより構成することにより、ＬＥＤ２５が発生する熱を、より確実に伝導部６５で用紙搬送路５に伝搬することができる。詳しくは、ヒートパイプは伝熱効率が高いため、このヒートパイプによって伝導部６５を構成し、ＬＥＤ２５で発生した熱を、ヒートパイプによって用紙搬送路５に伝搬することにより、効率良く熱を用紙搬送路５に伝搬することができる。この結果、より効率的に放熱を行うことができる。
【００７１】
なお、このように伝導部６５をヒートパイプにより構成する場合には、基板２６を介してＬＥＤ２５が接続されている側の伝導部６５の端部は、放熱部１０に接続されている側の伝導部６５の端部よりも下方に位置させるのが好ましい。これにより、ＬＥＤ２５から吸熱することにより気化し、放熱部１０で放熱することにより液化した伝導部６５内の作動液は、ＬＥＤ２５が接続されている側の端部側に戻り易くなるため、より確実に伝導部６５をヒートパイプとして機能させることができ、効率的に放熱を行うことができる。
【００７２】
図１１は、実施例１に係る画像読取装置の変形例を示す要部斜視図である。図１２は、図１１のＤ−Ｄ矢視図である。また、実施例１に係る画像読取装置１では、伝導部２０を熱伝導率が高い材料により形成しているが、熱伝導率が非常に高い材料の場合には、伝導部２０の厚さを薄くしてもよい。例えば、伝導部７０を、グラファイトシートなど非常に熱伝導率が高い材料で形成する場合には、図１１、図１２に示すように、伝導部７０の厚さを薄くしてもよい。伝導部７０は、ＬＥＤ２５で発生する熱を効率よく放熱部１０に伝搬することができればよいので、伝導部７０での熱の伝搬性能として、ＬＥＤ２５の温度が上昇し過ぎることが無いようにＬＥＤ２５で発生した熱を放熱部１０に伝搬することができるだけの性能を確保できる場合には、厚さを薄くしてもよい。このように、熱伝導率が高い材料を用いることによって伝導部７０の厚さを薄くした場合には、伝導部７０での熱の伝搬性能を確保しつつ、伝導部７０の軽量化を図ることができる。この結果、装置の軽量化を図りつつ、より効率的に放熱を行うことができる。
【００７３】
図１３は、実施例１に係る画像読取装置の変形例を示す要部斜視図である。図１４は、図１３のＥ−Ｅ矢視図である。また、放熱部での放熱が効率よく行える場合には、図１３、図１４に示すように、放熱部７５には放熱フィン１２（図４参照）を設けなくてもよい。放熱部７５を放熱性が高い材料で形成したり、ＬＥＤ２５で発生する熱量が小さかったりする場合には、放熱部７５に放熱フィン１２を設けることによって放熱部７５の放熱性を高くしなくても、ＬＥＤ２５で発生する熱を放熱部７５で放熱することができる。放熱フィン１２を設けなくても放熱部７５で効率よく放熱を行うことができる場合には、放熱フィン１２を省略することにより放熱部７５を容易に製造することができ、さらに、放熱フィン１２を設けない分、軽量化を図ることができる。また、軽量化を図ることを目的として放熱部７５を省略する場合には、伝導部７０を上述したようにグラファイトシートなど非常に熱伝導率が高い材料で形成し、伝導部７０の厚さを薄くしてもよい。これらにより、より簡易な構成で、且つ、装置の軽量化を図りつつ、効率的に放熱を行うことができる。
【００７４】
図１５は、実施例１に係る画像読取装置の変形例を示す要部斜視図である。また、放熱部１０は、グランド接続を行ってもよい。つまり、放熱部１０は、図１５に示すように、金属フレーム８０等の基準電位点となる部材に接地コード８１によって電気的に接続することにより、グランド接続を行ってもよい。このように放熱部１０をグランド接続することにより、放熱部１０が帯電することを抑制でき、帯電に起因する用紙４０（図１参照）の詰まりを抑制できる。つまり、放熱部１０は用紙搬送路５の一部を構成しているため、放熱部１０が帯電した場合、用紙搬送路５で搬送される用紙が、放熱部１０の静電気によって放熱部１０に吸い寄せられる場合があり、この場合、用紙４０が搬送され難くなるため、詰まりの原因になる場合がある。これに対し、放熱部１０をグランド接続し、放熱部１０の帯電を抑制した場合には、用紙搬送路５で用紙４０を搬送する際に用紙４０が放熱部１０の静電気によって放熱部１０に吸い寄せられることを抑制できるため、用紙４０の詰まりを抑制することができる。この結果、効率的に放熱を行うと共に、搬送する用紙の詰まりを抑制することができる。
【００７５】
また、実施例２に係る画像読取装置５０が有する遮蔽板５５には切欠部５６が形成されており、遮蔽板５５を放熱部１０の用紙搬送路５側に配設した場合には、放熱部１０の放熱フィン１２は遮蔽板５５には切欠部５６を通るように設けられているが、放熱フィン１２が通るように遮蔽板５５に形成する部分は切欠部５６ではなく、遮蔽板５５を貫通する穴である開口穴でもよい。この場合、開口穴は、切欠部５６と同様に、放熱フィン１２の高さ方向から見た場合における投影形状に近い形状で、当該投影形状よりも大きい形状で形成する。これにより、遮蔽板５５を放熱部１０の用紙搬送路５側に配設する場合に、放熱フィン１２を開口穴に通した状態で配設することができる。
【００７６】
このように、用紙搬送路５に、開口穴と切欠部５６とのうち、少なくともいずれか一方が形成される遮蔽板５５を設けることにより、用紙搬送路５の形状を極力平坦に近くすることができる。このため、搬送する用紙４０の詰まりを低減することができ、また、用紙搬送路５周りの見栄えを良くすることができる。さらに、遮蔽板５５は、放熱フィン１２が開口穴または切欠部５６を通った状態で配設されるので、遮蔽板５５を設けた場合でも、放熱部１０による放熱性を確保できる。これらの結果、効率的に放熱を行いつつ、搬送する用紙４０の詰まりを抑制し、且つ、外観の向上を図ることができる。
【００７７】
また、伝導部２０、６５、７０に接続されるＬＥＤ２５の基板２６は、伝導部２０、６５、７０と同様に熱伝導率が高い材料により形成するのが好ましい。ＬＥＤ２５で発生した熱は、まず基板２６に伝達され、基板２６を介して伝導部２０、６５、７０に伝達されるため、基板２６を熱伝導率が高い材料によって形成することにより、ＬＥＤ２５から伝達された熱を、より確実に伝導部２０、６５、７０に伝達することができる。伝導部２０、６５、７０に伝達された熱は放熱部１０、７５に伝搬され、放熱部１０、７５で放熱するので、ＬＥＤ２５から基板２６に伝達された熱を、より確実に伝導部２０、６５、７０に伝達することにより、より確実にＬＥＤ２５で発生した熱を放熱することができる。この結果、より確実に効率的に放熱を行うことができる。
【００７８】
また、放熱部１０、７５は、分割構造にしてもよい。例えば、放熱部１０、７５は、導光管２８の形成方向、即ち、用紙搬送路５の幅方向に分割する分割構造にしてもよい。導光管２８は、両端部を伝導部２０、６５、７０で保持する構造になっているため、放熱部１０、７５を分割構造にし、伝導部２０、６５、７０が接続された状態の放熱部１０、７５を用紙搬送路５の幅方向に組み合わせて伝導部２０、６５、７０を導光管２８の両端側から接続することにより、組み立て性の向上を図ることができる。この結果、効率的に放熱を行うことができる画像読取装置１、５０を容易に組み立てることができ、組み立てが容易になる分、製造コストの低減を図ることができる。
【００７９】
また、このように放熱部１０、７５を分割構造にすることにより、導光管２８の両端から導光管２８に対してＬＥＤ２５を密着させて組み立てることができる。これにより、ＬＥＤ２５の発光時に、ＬＥＤ２５からの光のほぼ全ての光を導光管２８内に進入させることができるため、ＬＥＤ２５で発光した光を用いて用紙４０を照射し、用紙４０の画像を読み取る場合に、効率よく用紙を照射することができる。この結果、簡易な構成で効率的に放熱を行う場合における照射効率を向上させることができる。
【００８０】
また、上述した画像読取装置１、５０は、光源としてＬＥＤ２５が用いられているが、光源はＬＥＤ２５以外のものでもよく、光源は、例えば冷陰極管（図示省略）を用いてもよい。光源に冷陰極管を用いる場合には、冷陰極管の保持部（図示省略）を伝導部２０、６５、７０に接続する。これにより、冷陰極管の発光時に発生する熱は、保持部から伝導部２０、６５、７０に伝達され、伝導部から放熱部１０、７５に伝搬されて放熱部１０、７５で放熱するので、光源である冷陰極管の温度が上昇し過ぎることを抑制できる。これにより、簡易な構成で効率的に放熱を行うことができる。
【００８１】
また、上述した画像読取装置１、５０は、放熱部１０、７５によって、光源で発生した熱を放熱しているが、放熱部１０、７５で放熱する熱は、ＬＥＤ２５などの光源で発生した熱以外の熱でもよい。例えば、画像読取装置１、５０の制御に用いる制御回路（図示省略）や、紙送りローラ１５用のモータ（図示省略）などの各種モータなどで発生する熱を放熱部１０、７５によって放熱してもよい。この場合、制御回路などの熱源は、光源と同様に伝導部２０、６５、７０を介して放熱部１０、７５に接続してもよく、また、直接放熱部１０、７５に接続してもよい。このように、放熱部１０、７５に間接的に、或いは直接制御回路などの熱源を接続することにより、熱源で発生した熱を、放熱部１０、７５から放熱することができる。この結果、熱源がＬＥＤ２５などの光源以外の場合でも、簡易な構成で効率的に放熱を行うことができる。
【００８２】
また、実施例１、２及び変形例に係る画像読取装置１、５０の各部は、それぞれを組み合わせて構成してもよい。画像読取装置１、５０の使用状況や製造状況に応じて、上述した画像読取装置１、５０の各部を適宜組み合わせることにより、使用状況や製造状況に対して最適な画像読取装置１、５０を得ることができる。
【産業上の利用可能性】
【００８３】
以上のように、本発明に係る画像読取装置は、用紙の搬送機構を備えた画像読取装置に有用であり、特に、原稿の画像を読み取る際に用いる光源として熱に弱い光源、または発熱量が多い光源を用いる場合に適している。
【図面の簡単な説明】
【００８４】
【図１】本発明の実施例１に係る画像読取装置の説明図である。
【図２】図１のＡ−Ａ矢視図である。
【図３】図１のＢ−Ｂ矢視図である。
【図４】図１に示す画像読取装置の要部の斜視概略図である。
【図５】図１に示す画像読取装置の要部の斜視概略図である。
【図６】本発明の実施例２に係る画像読取装置の説明図であり、遮蔽板を取り付ける前の状態を示す説明図である。
【図７】図６に示す画像読取装置において遮蔽板を取り付けた状態を示す説明図である。
【図８】実施例１に係る画像読取装置の変形例を示す要部斜視図である。
【図９】実施例１に係る画像読取装置の変形例を示す要部斜視図である。
【図１０】図９のＣ−Ｃ矢視図である。
【図１１】実施例１に係る画像読取装置の変形例を示す要部斜視図である。
【図１２】図１１のＤ−Ｄ矢視図である。
【図１３】実施例１に係る画像読取装置の変形例を示す要部斜視図である。
【図１４】図１３のＥ−Ｅ矢視図である。
【図１５】実施例１に係る画像読取装置の変形例を示す要部斜視図である。
【符号の説明】
【００８５】
１、５０  画像読取装置
５  用紙搬送路
６  搬送用紙ガイド
７  コンタクトガラス
８  裏当て部材
１０、７５  放熱部
１１  ベース部
１２、６０  放熱フィン
１３  傾斜部
１４  平行部
１５  紙送りローラ
１６  中心軸
２０、６５、７０  伝導部
２５  ＬＥＤ
２６  基板
２８  導光管
３０  反射部材
３５  読取部
４０  用紙
５５  遮蔽板
５６  切欠部
８０  金属フレーム
８１  接地コード
【図１】
2010109563.tif 000003
【図２】
2010109563.tif 000004
【図３】
2010109563.tif 000005
【図４】
2010109563.tif 000006
【図５】
2010109563.tif 000007
【図６】
2010109563.tif 000008
【図７】
2010109563.tif 000009
【図８】
2010109563.tif 000010
【図９】
2010109563.tif 000011
【図１０】
2010109563.tif 000012
【図１１】
2010109563.tif 000013
【図１２】
2010109563.tif 000014
【図１３】
2010109563.tif 000015
【図１４】
2010109563.tif 000016
【図１５】
2010109563.tif 000017